(57)【要約】【課題】  ディスク装置の電源ＯＦＦ時、未ファイナライズ領域のファイナライズ処理を行った後に、ディスク装置の電源を自動的にＯＦＦにすることができ、また、タイマ予約が設定されているとき、タイマ予約による記録後に未ファイナライズ領域となる記録領域のファイナライズ処理を行った後に、ディスク装置の電源を自動的にＯＦＦにすることができるようにする。【解決手段】  ディスク装置の電源ＯＦＦが指令されたとき、光ディスクの記録フォーマットを判別し、光ディスクがＶＲフォーマットの光ディスクである場合に、タイマ予約が設定されていないとき、光ディスクの外周側の未ファイナライズ領域のファイナライズ処理を行い、タイマ予約が設定されているとき、タイマ予約による記録後に未ファイナライズ領域となる記録領域のファイナライズ処理を行い、光ディスクのファイナライズ処理が終了したとき、ディスク装置の電源をＯＦＦにするようにする。【選択図】        図４
2007018639.tif 000002
【特許請求の範囲】
【請求項１】
書き換え可能な光ディスクに映像音声信号を記録再生するディスク装置であって、
ディスク装置の電源ＯＦＦが指令されたとき、ディスク装置に装着されている光ディスクの記録フォーマットを判別する判別手段と、前記判別手段によりディスク装置に装着されている光ディスクがＶＲフォーマットの光ディスクであると判別された場合に、タイマ予約が設定されていないとき、光ディスクの外周側の未ファイナライズ領域のファイナライズ処理を行い、タイマ予約が設定されているとき、タイマ予約された時間分の映像音声信号を記録する記録領域を確保して、その外周側のタイマ予約による記録後に未ファイナライズ領域となる記録領域のファイナライズ処理を行うファイナライズ処理手段と、光ディスクのファイナライズ処理が終了したとき、ディスク装置の電源をＯＦＦにする電源制御手段と、ファイナライズ処理中に、ディスク装置の電源ＯＮが指令されたとき、光ディスクのファイナライズ処理を中断するファイナライズ処理中断手段とを備えたことを特徴とするディスク装置。
【請求項２】
書き換え可能な光ディスクに映像音声信号を記録再生するディスク装置であって、
ディスク装置の電源ＯＦＦが指令されたとき、ディスク装置に装着されている光ディスクの記録フォーマットを判別する判別手段と、前記判別手段によりディスク装置に装着されている光ディスクがＶＲフォーマットの光ディスクであると判別された場合、光ディスクの外周側の未ファイナライズ領域のファイナライズ処理を行うファイナライズ処理手段と、光ディスクのファイナライズ処理が終了したとき、ディスク装置の電源をＯＦＦにする電源制御手段とを備えたことを特徴とするディスク装置。
【請求項３】
前記ファイナライズ処理手段は、タイマ予約が設定されているとき、タイマ予約された時間分の映像音声信号を記録する記録領域を確保して、その外周側のタイマ予約による記録後に未ファイナライズ領域となる記録領域のファイナライズ処理を行うファイナライズ処理手段であることを特徴とする請求項２記載のディスク装置。
【請求項４】
ファイナライズ処理中に、ディスク装置の電源ＯＮが指令されたとき、光ディスクのファイナライズ処理を中断するファイナライズ処理中断手段を更に備えたことを特徴とする請求項２記載のディスク装置。
【請求項５】
書き換え可能な光ディスクに映像音声信号を記録再生するディスク装置のファイナライズ処理方法であって、
ディスク装置の電源ＯＦＦが指令されたとき、ディスク装置に装着されている光ディスクがＶＲフォーマットの光ディスクであるか否かを判別するステップと、ディスク装置に装着されている光ディスクがＶＲフォーマットの光ディスクであると判別された場合に、タイマ予約が設定されていないとき、光ディスクの未ファイナライズ領域のファイナライズ処理を行うステップと、ディスク装置に装着されている光ディスクがＶＲフォーマットの光ディスクであると判別された場合に、タイマ予約が設定されているとき、タイマ予約による記録後に未ファイナライズ領域となる記録領域のファイナライズ処理を行うステップと、光ディスクのファイナライズ処理が終了したとき、ディスク装置の電源をＯＦＦにするステップと、ファイナライズ処理中に、ディスク装置の電源ＯＮが指令されたとき、光ディスクのファイナライズ処理を中断するステップとを備えたことを特徴とするディスク装置のファイナライズ処理方法。
【発明の詳細な説明】
【技術分野】
【０００１】
本発明は、書き換え可能なＤＶＤ−ＲＷ（Ｄｉｇｉｔａｌ  Ｖｅｒｓａｔｉｌｅ  Ｄｉｓｃ−ＲｅＷｒｉｔａｂｌｅ）等の光ディスクに映像音声信号を記録再生するディスク装置に係り、特にＤＶＤ−ＲＷに映像音声信号を記録した後のファイナライズ処理を自動的に行うことができるディスク装置及びそのファイナライズ処理方法に関する。
【背景技術】
【０００２】
従来、書き換え可能なＤＶＤ−ＲＷ等の光ディスクに映像音声信号を記録する記録フォーマットの規格としてＶＲ（Ｖｉｄｅｏ  Ｒｅｃｏｒｄｉｎｇ）フォーマットがあるが、ＶＲフォーマットで記録されたＤＶＤ−ＲＷ等の光ディスクを他のディスクプレーヤで再生することができるようにするためには、ファイナライズ処理を行う必要がある。しかし、ファイナライズ処理には、光ディスクに記録されている映像音声信号の記録量により、数１０分乃至１時間程度の処理時間を必要とするため、ＤＶＤ−ＲＷ等の光ディスクに映像音声信号をＶＲフォーマットで記録した後に、ファイナライズ処理を一旦開始すると、ファイナライズ処理が終了するまでディスク装置の電源をＯＦＦにすることができず、ファイナライズ処理が終了するのを待たなければならないという問題点があった。
背景技術としては、記録可能な光ディスクの種類によってファイナライズ処理を切り換え、電源から電力が供給されている場合、ファイナライズ処理を行い、電池から電力が供給されている場合、ファイナライズ処理を行わないようにしたものがあった（例えば、特許文献１参照）。
また、光ディスクのファイナライズ処理を行う際に、リードアウト領域の記録量をユーザが指定できるようにし、情報データの記録時より記録パワーを減らして、情報データの記録時より高速でファイナライズ処理を行うようにしたものがあった（例えば、特許文献２参照）。
また、記録媒体に記録されている全トラックの情報データを記録可能なブランクディスクにダビングしたとき、全トラックの情報データのダビングが正常に終了した場合、記録可能な光ディスクのファイナライズ処理を行うようにしたものがあった（例えば、特許文献３参照）。
【特許文献１】特開２００４−６０４６号公報
【特許文献２】特開２００４−３２６９３４号公報
【特許文献３】特開２００２−３２４３２１号公報
【発明の開示】
【発明が解決しようとする課題】
【０００３】
しかしながら、背景技術で述べたもののうち最初のものにおいては、記録可能な光ディスクの種類によってファイナライズ処理を切り換え、電源から電力が供給されている場合、ファイナライズ処理を行い、電池から電力が供給されている場合、ファイナライズ処理を行わないようにすることができたが、ファイナライズ処理中に、ファイナライズ処理が途中で強制終了されて、光ディスクに記録された情報の再生ができなくなったり、光ディスクが破壊したりすることを回避するようにしたものであって、上記問題点を解決するようにしたものではなかった。
また、次のものにおいては、光ディスクのファイナライズ処理を行う際に、リードアウト領域の記録量をユーザが指定できるようにし、情報データの記録時より記録パワーを減らして、情報データの記録時より高速でファイナライズ処理を行うことができたが、ファイナライズ処理中のリードアウト領域の記録データ量をユーザ指定により変更できるようにし、リードアウト領域の記録を適正パワーより低いパワーで高速で連続記録することによりファイナライズ処理の時間を短縮するようにしたものであって、上記問題点を解決するようにしたものではなかった。
また、更にその次のものにおいては、記録媒体に記録されている全トラックの情報データを記録可能なブランクディスクにダビングしたとき、全トラックの情報データのダビングが正常に終了した場合、記録可能な光ディスクのファイナライズ処理を行うことができたが、ダビングが終了したときに、光ディスクに更に追記される可能性が高いか否かを判別して、追記される可能性が低い場合、光ディスクのファイナライズ処理を自動的に行うようにしたものであって、上記問題点を解決するようにしたものではなかった。
本発明は、背景技術の有するこのような問題点に鑑みてなされたものであり、その目的とするところは、ディスク装置の電源ＯＦＦ時、未ファイナライズ領域のファイナライズ処理を行った後に、ディスク装置の電源を自動的にＯＦＦにすることができ、また、タイマ予約が設定されているとき、タイマ予約による記録後に未ファイナライズ領域となる記録領域のファイナライズ処理を行った後に、ディスク装置の電源を自動的にＯＦＦにすることができるディスク装置を提供しようとするものである。
【課題を解決するための手段】
【０００４】
上記目的を達成するため本発明においては、書き換え可能な光ディスクに映像音声信号を記録再生するディスク装置であって、ディスク装置の電源ＯＦＦが指令されたとき、ディスク装置に装着されている光ディスクの記録フォーマットを判別する判別手段と、前記判別手段によりディスク装置に装着されている光ディスクがＶＲフォーマットの光ディスクであると判別された場合、光ディスクの外周側の未ファイナライズ領域のファイナライズ処理を行うファイナライズ処理手段と、光ディスクのファイナライズ処理が終了したとき、ディスク装置の電源をＯＦＦにする電源制御手段とを備える。
前記ファイナライズ処理手段は、タイマ予約が設定されているとき、タイマ予約された時間分の映像音声信号を記録する記録領域を確保して、その外周側のタイマ予約による記録後に未ファイナライズ領域となる記録領域のファイナライズ処理を行うようにするとよい。
更に、ファイナライズ処理中に、ディスク装置の電源ＯＮが指令されたとき、光ディスクのファイナライズ処理を中断するファイナライズ処理中断手段を備える。
これらの手段により、ディスク装置の電源ＯＦＦ時、未ファイナライズ領域のファイナライズ処理を行った後に、ディスク装置の電源を自動的にＯＦＦにすることができ、また、タイマ予約が設定されているとき、タイマ予約による記録後に未ファイナライズ領域となる記録領域のファイナライズ処理を行った後に、ディスク装置の電源を自動的にＯＦＦにすることができる。
【発明の効果】
【０００５】
請求項１記載の発明に係るディスク装置によれば、ディスク装置の電源ＯＦＦが指令されたとき、ディスク装置に装着されている光ディスクの記録フォーマットを判別し、ディスク装置に装着されている光ディスクがＶＲフォーマットの光ディスクである場合に、タイマ予約が設定されていないとき、光ディスクの外周側の未ファイナライズ領域のファイナライズ処理を行い、タイマ予約が設定されているとき、タイマ予約された時間分の映像音声信号を記録する記録領域を確保して、その外周側のタイマ予約による記録後に未ファイナライズ領域となる記録領域のファイナライズ処理を行い、光ディスクのファイナライズ処理が終了したとき、ディスク装置の電源をＯＦＦにするようにしているので、ディスク装置の電源ＯＦＦ時、未ファイナライズ領域のファイナライズ処理を行った後に、ディスク装置の電源を自動的にＯＦＦにすることができるため、ファイナライズ処理が終了するまで待ってからディスク装置の電源をＯＦＦにしなくてもよく、また、タイマ予約が設定されているとき、タイマ予約による記録後に未ファイナライズ領域となる記録領域のファイナライズ処理を行った後に、ディスク装置の電源を自動的にＯＦＦにすることができるため、タイマ予約による記録後に行うファイナライズ処理を事前に行っておくことができる。また、ファイナライズ処理中に、ディスク装置の電源ＯＮが指令されたとき、光ディスクのファイナライズ処理を中断するようにしているので、ファイナライズ処理中に、タイマ予約時刻になったとき、ファイナライズ処理を中断して、タイマ予約された映像音声信号の記録を行うことができる。
請求項２記載の発明に係るディスク装置によれば、ディスク装置の電源ＯＦＦが指令されたとき、ディスク装置に装着されている光ディスクの記録フォーマットを判別し、ディスク装置に装着されている光ディスクがＶＲフォーマットの光ディスクである場合、光ディスクの外周側の未ファイナライズ領域のファイナライズ処理を行い、光ディスクのファイナライズ処理が終了したとき、ディスク装置の電源をＯＦＦにするようにしているので、ディスク装置の電源ＯＦＦ時、未ファイナライズ領域のファイナライズ処理を行った後に、ディスク装置の電源を自動的にＯＦＦにすることができるため、ファイナライズ処理が終了するまで待ってからディスク装置の電源をＯＦＦにしなくてもよい。
請求項３記載の発明に係るディスク装置によれば、ディスク装置に装着されている光ディスクがＶＲフォーマットの光ディスクである場合に、タイマ予約が設定されているとき、タイマ予約された時間分の映像音声信号を記録する記録領域を確保して、その外周側のタイマ予約による記録後に未ファイナライズ領域となる記録領域のファイナライズ処理を行うようにしているので、ディスク装置の電源ＯＦＦ時、タイマ予約が設定されているとき、タイマ予約による記録後に未ファイナライズ領域となる記録領域のファイナライズ処理を行った後に、ディスク装置の電源を自動的にＯＦＦにすることができるため、タイマ予約による記録後に行うファイナライズ処理を事前に行っておくことができる。
請求項４記載の発明に係るディスク装置によれば、ファイナライズ処理中に、ディスク装置の電源ＯＮが指令されたとき、光ディスクのファイナライズ処理を中断するようにしているので、ファイナライズ処理中に、タイマ予約時刻になったとき、ファイナライズ処理を中断して、タイマ予約された映像音声信号の記録を行うことができる。
請求項５記載の発明に係るディスク装置のファイナライズ処理方法によれば、ディスク装置の電源ＯＦＦが指令されたとき、ディスク装置に装着されている光ディスクがＶＲフォーマットの光ディスクであるか否かを判別し、ディスク装置に装着されている光ディスクがＶＲフォーマットの光ディスクである場合に、タイマ予約が設定されていないとき、光ディスクの未ファイナライズ領域のファイナライズ処理を行い、タイマ予約が設定されているとき、タイマ予約による記録後に未ファイナライズ領域となる記録領域のファイナライズ処理を行い、光ディスクのファイナライズ処理が終了したとき、ディスク装置の電源をＯＦＦにするようにしているので、ディスク装置の電源ＯＦＦ時、タイマ予約が設定されていないとき、未ファイナライズ領域のファイナライズ処理を行った後に、ディスク装置の電源を自動的にＯＦＦにすることができるため、ファイナライズ処理が終了するまで待ってからディスク装置の電源にしなくてもよく、また、タイマ予約が設定されているとき、タイマ予約による記録後に未ファイナライズ領域となる記録領域のファイナライズ処理を行った後に、ディスク装置の電源を自動的にＯＦＦにすることができるため、タイマ予約による記録後に行うファイナライズ処理を事前に行っておくことができる。また、ファイナライズ処理中に、ディスク装置の電源ＯＮが指令されたとき、光ディスクのファイナライズ処理を中断するようにしているので、ファイナライズ処理中に、タイマ予約時刻になったとき、ファイナライズ処理を中断して、タイマ予約された映像音声信号の記録を行うことができる。
【発明を実施するための最良の形態】
【０００６】
以下、適宜図面を参照しながら本発明を実施するための最良の形態を詳述する。図１は本発明の一実施例のディスク装置の構成を示すブロック図であり、図２は本発明の一実施例のディスク装置のファイナライズ処理の動作を示す説明図であり、図３は本発明の一実施例のディスク装置のファイナライズ処理の動作を示す説明図であり、図４は本発明の一実施例のディスク装置のファイナライズ処理の動作を示すフローチャートである。
まず、図１の本発明の一実施例のディスク装置の構成を示すブロック図を基に説明する。
ディスク装置１は、光ディスク２にレーザ光を照射して映像音声信号を光ディスク２に記録するとともに、光ディスク２にレーザ光を照射してその反射光を検出し、光ディスク２に記録された映像音声信号を読み出す光ピックアップ３と、光ピックアップ３を光ディスク２の半径方向に移動させるスレッドモータ４と、光ディスク２を回転させるスピンドルモータ５と、スレッドモータ４の回転方向、回転速度とスピンドルモータ５の回転速度とをサーボ制御し、光ピックアップ３により検出されたトラッキング誤差信号、フォーカス誤差信号に基づいて光ピックアップ３のトラッキング、フォーカスをサーボ制御するサーボ回路６と、アンテナ１３により受信されたテレビ放送電波から選択されたチャンネルのテレビ放送番組を受信するチューナ７と、光ピックアップ３により読み出された映像音声信号を基準クロックに基づいて同期検出して復調し、復調された映像音声信号の誤りを訂正して、所定の圧縮方式に基づいて圧縮された映像音声信号を伸張し、復号して映像音声信号を再生するとともに、チューナ７により受信されたテレビ放送番組の映像音声信号を符号化して、符号化された映像音声信号を所定の圧縮方式に基づいて圧縮し、光ピックアップ３により映像音声信号を光ディスク２に記録する記録再生回路８と、ディスク装置１のシステム全体を制御するマイコン９と、タイマ予約の日付・時刻を管理する時計回路１０と、リモコン装置２０から送信された赤外線信号のリモコン信号を受信して、所定の電気信号に変換するリモコン受信部１１と、ディスク装置１の電源をＯＮ／ＯＦＦする電源制御回路１２とで構成されている。
以上のように構成されたディスク装置について、以下その動作について説明する。
リモコン装置２０のキー操作によりディスク装置１の電源ＯＦＦが指令されると、マイコン９は、サーボ回路６に制御信号を送出して、スピンドルモータ５を回転させて光ディスク２を回転させ、スレッドモータ４を回転させて光ピックアップ３を光ディスク２の内周側のリードインエリア（図示せず）にスレッド移動させ、光ピックアップ３により光ディスク２のリードインエリアに記録された情報データを読み出して、ディスク装置１に装着されている光ディスク２の記録フォーマットがＶＲフォーマットであるか否かを判別する。
ディスク装置１に装着されている光ディスク２がＶＲフォーマットの光ディスクである場合に、タイマ予約が設定されていないとき、マイコン９は、映像音声信号が記録された光ディスク２の記録領域２ａの外周側の未ファイナライズ領域２ｂのファイナライズ処理を行う（図２参照）。そして、光ディスク２のファイナライズ処理が終了すると、マイコン９は、電源制御回路１２に制御信号を送出して、ディスク装置１の電源をＯＦＦにする。なお、ファイナライズ処理中に、リモコン装置２０のキー操作によりディスク装置１の電源ＯＮが指令されるか、或いは、タイマ予約時刻になってディスク装置１の電源ＯＮが指令されると、マイコン９は、光ディスク２のファイナライズ処理を中断する。
また、ディスク装置１に装着されている光ディスク２がＶＲフォーマットの光ディスクである場合に、タイマ予約が設定されているとき、マイコン９は、映像音声信号が記録された光ディスク２の記録領域２ｃの外周側にタイマ予約された時間分の映像音声信号を記録する記録領域２ｄを確保し、その外周側のタイマ予約による記録後に未ファイナライズ領域となる記録領域２ｅのファイナライズ処理を行う（図３参照）。そして、光ディスク２のファイナライズ処理が終了すると、マイコン９は、電源制御回路１２に制御信号を送出して、ディスク装置１の電源をＯＦＦにしてタイマ予約の待機状態にする。なお、ファイナライズ処理中に、リモコン装置２０のキー操作によりディスク装置１の電源ＯＮが指令されるか、或いは、タイマ予約時刻になってディスク装置１の電源ＯＮが指令されると、マイコン９は、光ディスク２のファイナライズ処理を中断する。
また、ディスク装置１に装着されている光ディスク２がＶＲフォーマットの光ディスクでない場合、マイコン９は、電源制御回路１２に制御信号を送出して、光ディスク２のファイナライズ処理を行わずに、ディスク装置１の電源をＯＦＦにする。
また、図４の本発明の一実施例のディスク装置のファイナライズ処理の動作を示すフローチャートを基に説明する。
リモコン装置のキー操作によりディスク装置の電源ＯＦＦが指令されると、ステップＳ１からステップＳ２に進み、ステップＳ２で、ディスク装置に装着されている光ディスクがＶＲフォーマットの光ディスクであるか否かが判断され、ディスク装置に装着されている光ディスクがＶＲフォーマットの光ディスクである場合、ステップＳ３に進み、ディスク装置に装着されている光ディスクがＶＲフォーマットの光ディスクでない場合、ステップＳ１０に進む。
ステップＳ３で、タイマ予約が設定されているか否かが判断され、タイマ予約が設定されている場合、ステップＳ７に進み、タイマ予約が設定されていない場合、ステップＳ４に進む。
ステップＳ４で、光ディスクの外周側の未ファイナライズ領域のファイナライズ処理が行われ、ステップＳ５に進む。
ステップＳ５で、リモコン装置のキー操作によりディスク装置の電源ＯＮが指令されたか否かが判断され、ディスク装置の電源ＯＮが指令された場合、光ディスクのファイナライズ処理を中断して、ステップＳ１１に進んで処理を終了し、ディスク装置の電源ＯＮが指令されていない場合、ステップＳ６に進む。
ステップＳ６で、光ディスクのファイナライズ処理が終了したか否かが判断され、光ディスクのファイナライズ処理が終了した場合、ステップＳ１０に進み、光ディスクのファイナライズ処理が終了していない場合、ステップＳ４に戻って、ステップＳ４からのステップを繰り返す。
ステップＳ７で、タイマ予約された時間分の映像音声信号を記録する光ディスクの記録領域より外周側のタイマ予約による記録後に未ファイナライズ領域となる記録領域のファイナライズ処理が行われ、ステップＳ８に進む。
ステップＳ８で、リモコン装置のキー操作によりディスク装置の電源ＯＮが指令されたか否かが判断され、ディスク装置の電源ＯＮが指令された場合、光ディスクのファイナライズ処理を中断して、ステップＳ１１に進んで処理を終了し、ディスク装置の電源ＯＮが指令されていない場合、ステップＳ９に進む。
ステップＳ９で、光ディスクのファイナライズ処理が終了したか否かが判断され、光ディスクのファイナライズ処理が終了した場合、ステップＳ１０に進み、光ディスクのファイナライズ処理が終了していない場合、ステップＳ７に戻って、ステップＳ７からのステップを繰り返す。
ステップＳ１０で、ディスク装置の電源がＯＦＦにされ、ステップＳ１１に進んで処理を終了する。
以上、本発明を実施するための最良の形態について詳述したが、本発明はこれに限定されるものではなく、当業者の通常の知識の範囲内でその変形や改良が可能であることはいうまでもない。
【図面の簡単な説明】
【０００７】
【図１】本発明の一実施例のディスク装置の構成を示すブロック図である。
【図２】本発明の一実施例のディスク装置のファイナライズ処理の動作を示す説明図である。
【図３】本発明の一実施例のディスク装置のファイナライズ処理の動作を示す説明図である。
【図４】本発明の一実施例のディスク装置のファイナライズ処理の動作を示すフローチャートである。
【符号の説明】
【０００８】
１  ディスク装置
２  光ディスク
３  光ピックアップ
４  スレッドモータ
５  スピンドルモータ
６  サーボ回路
７  チューナ
８  記録再生回路
９  マイコン
１０  時計回路
１１  リモコン受信部
１２  電源制御回路
１３  アンテナ
２０  リモコン装置
【図１】
2007018639.tif 000003
【図２】
2007018639.tif 000004
【図３】
2007018639.tif 000005
【図４】
2007018639.tif 000006